(57)【要約】【課題】本発明の目的は、厚みを有してしっかりとしながらも適度な伸縮性があるリブ風編地の編成方法と編地を提供する。  【解決手段】例えば１ｘ１リブ風編地を編成する場合、第一編地部と第二編地部に対して、ニット編成を行う間を１目置きに割増やし編成を行い、裏目風にしたい編目を１目、その隣りに表目を１目配置するリブパターンをコース方向に繰り返している。割増やし編成を行った両編地部では、目移しされた移し目と編針に係止していた編目による重ね目が形成され、新たなニット目を続けて編成することで重ね目が解消されて２つの編地部が接合される。【選択図】図１
2014227611.tif 000002
【特許請求の範囲】
【請求項１】
少なくとも前後一対の針床を備え、前後の針床間で目移しが可能な横編機を用いて、所定数の表目と所定数の裏目をコース方向において交互に繰り返すリブパターンの外観を模擬したリブ風編地を編成する方法であって、
前記リブ風編地は、第一編地部と第二編地部の２層の編地部で構成され、
一方の針床を用いて、第一編地部の表側から見て、リブパターンの裏目となる裏目ウエールを割増やし編成で、表目となる表目ウエールをニット編成で行う第一編地部のコースを編成する工程１と、
他方の針床を用いて、第二編地部の表側から見て、リブパターンの裏目となる裏目ウエールを割増やし編成で、表目となる表目ウエールをニット編成で行う第二編地部のコースを編成する工程２とを備え、
前記工程１では割増やし編成で目移しされる移し目を対向する第二編地部の表目ウエールの表目に重ね、前記工程２では割増やし編成で目移しされる移し目を対向する第一編地部の表目ウエールの表目に重ねることで、第一編地部と第二編地部を接合し、前記工程１，工程２を交互に繰り返すことを特徴とするリブ風編地の編成方法。
【請求項２】
前記工程１のコース方向における割増やし編成とニット編成の組合せによるリブパターンが、ｎ：ｎ（ｎは1〜３の自然数）となることを特徴とする請求項１記載のリブ風編地の編成方法。
【請求項３】
前記工程１の第一編地部を編成する編糸は、前記工程２の第二編地部を編成する編糸とは異なることを特徴とする請求項１または請求項２記載のリブ風編地の編成方法。
【請求項４】
所定数の表目と所定数の裏目をコース方向において交互に繰り返すリブパターンの外観を模擬したリブ風編地であって、
前記リブ風編地は、第一編地部と第二編地部が２層の編地部で構成され、
第一編地部は、第一編地部の表側から見て、リブパターンの表目となる表目ウエールが表目で形成され、リブパターンの裏目となる裏目ウエールが割増やし編成による表目で形成され、
第二編地部は、第二編地部の表側から見て、リブパターンの裏目となる裏目ウエールが割増やし編成による表目で形成され、リブパターンの表目となる表目ウエールが表目で形成され
前記第一編地部の割増やし編成による移し目が対向する第二編地部の表目ウエールの表目に重ねられ、前記第二編地部の前記割増やし編成による移し目が対向する第一編地部の前記表目ウエールの表目に重ねられることで、第一編地部と第二編地部が接合されてなるリブ風編地。
【発明の詳細な説明】
【技術分野】
【０００１】
本発明は、リブ風編地の編成方法、およびリブ風編地に関する。
【背景技術】
【０００２】
従来、セーターの裾や前立て、或いは衿に表目と裏目によるリブ組織を用いる場合には、厚みが有ってしっかりとしながらも伸縮性が要求されることが多い。その際、グランド編地と同じ編糸では不十分なことから糸本数を増やしたり、太い糸を用いたり、或いはパイピング処理で編地を折り返して２重の編地として対応していた（特許文献１参照）。しかしながら何れの場合も、適正な厚みを得ることは難しかった。即ち、糸を太くする場合には編針のフックの大きさに制約があって十分な厚みが得られず、パイピング処理の場合には折り返して端部を固定するので折り返しの位置で膨らんだ状態となり、厚みが出すぎるのである。
【先行技術文献】
【特許文献】
【０００３】
【特許文献１】特許第２６１０２０８号
【発明の概要】
【発明が解決しようとする課題】
【０００４】
本発明の目的は、横編機を用いて厚みを有してしっかりとしながらも適度な伸縮性があるリブ風編地の編成方法とその編成方法により形成される編地を提供することである。
【課題を解決するための手段】
【０００５】
少なくとも前後一対の針床を備え、前後の針床間で目移しが可能な横編機を用いて、所定数の表目と所定数の裏目をコース方向において交互に繰り返すリブパターンの外観を模擬したリブ風編地を編成する方法であって、前記リブ風編地は、第一編地部と第二編地部の２層の編地部で構成され、一方の針床を用いて、第一編地部の表側から見て、リブパターンの裏目となる裏目ウエールを割増やし編成で、表目となる表目ウエールをニット編成で行う第一編地部のコースを編成する工程１と、他方の針床を用いて、第二編地部の表側から見て、リブパターンの裏目となる裏目ウエールを割増やし編成で、表目となる表目ウエールをニット編成で行う第二編地部のコースを編成する工程２とを備え、前記工程１では割増やし編成で目移しされる編目を対向する第二編地部の表目ウエールの表目に重ね、前記工程２では割増やし編成で目移しされる編目を対向する第一編地部の表目ウエールの表目に重ねることで、第一編地部と第二編地部を接合し、前記工程１，工程２を交互に繰り返すことを特徴とする。
【０００６】
前記工程１のコース方向における割増やし編成とニット編成の組合せによるリブパターンが、ｎ：ｎ（ｎは1〜３の自然数）となることを特徴とする。
【０００７】
前記工程１の第一編地部を編成する編糸は、前記工程２の第二編地部を編成する編糸とは異なることを特徴とする。
【０００８】
所定数の表目と所定数の裏目をコース方向において交互に繰り返すリブパターンの外観を模擬したリブ風編地であって、前記リブ風編地は、第一編地部と第二編地部が２層の編地部で構成され、第一編地部は、第一編地部の表側から見て、リブパターンの表目となる表目ウエールが表目で形成され、リブパターンの裏目となる裏目ウエールが割増やし編成による表目で形成され、第二編地部は、第二編地部の表側から見て、リブパターンの裏目となる裏目ウエールが割増やし編成による表目で形成され、リブパターンの表目となる表目ウエールが表目で形成され、前記第一編地部の割増やし編成による移し目が対向する第二編地部の表目ウエールの表目に重ねられ、前記第二編地部の前記割増やし編成による移し目が対向する第一編地部の前記表目ウエールの表目に重ねられることで、第一編地部と第二編地部が接合されてなるリブ風編地である。
【発明の効果】
【０００９】
本発明によれば、第一編地部と第二編地部が割増やし編成で目移しされた移し目でそれぞれの編地が接合され、２層の編地が一体化されて厚みが出る。更に同一コースでニット編成を行う編目に対し、対向する編地に目移しされた移し目が引き寄せられて窪んだ状態となって編地に凹凸が形成でき、同じ針床で編成された編目によるリブ風編地となる。つまり、裏目を編成せずに表目のみでリブ風編地を編成できる。
【００１０】
本発明によれば、割増やし編成とニット編成の組合せによるリブパターンを同数にすることで、見栄えがよく汎用性の高いリブ風編地を編成することができる。
【００１１】
また本発明によれば、工程１の第一編地部を編成する編糸と、工程２の第二編地部を編成する編糸とが異なることで、色が異なればリバーシブルとして使用でき、素材が異なれば、肌に触れる側だけに抗菌や防臭、肌触りの良い素材で編成する事もできる。
【００１２】
本発明によれば、第一編地部と第二編地部が、割増やし編成でそれぞれの編地から目移しされた移し目で接合され、２層状となって厚みが出る編地である。また表目と裏目で形成される従来のリブ組織の前後に渡る渡り糸が、表目と表目で形成されることで短くでき、適度な伸縮性を持つリブ風編地とすることができる。
【図面の簡単な説明】
【００１３】
【図１】本発明の実施例であるリブ風編地１の編成工程図である。
【図２】本発明の実施例であるリブ風編地１(写真右側)の画像と従来のリブ編地１０(写真左側)の画像である。
【発明を実施するための形態】
【００１４】
以下、図１のリブ風編地１の編成工程図および図２のリブ風編地１の画像と従来のリブ編地１０の画像を用いて本発明の一実施例としての１ｘ１リブ風編地１の編成方法を説明する。本実施例で使用する横編機は前後一対の針床を備えた２枚ベッド横編機で、編針を飛ばすことなく連続した編針で編成を行う総針編成で編成する。また説明の便宜上、編成工程図における編針の本数は、図２の写真右側のリブ風編地１よりも少なくしている。図1では、図中左側の数字は編成ステップ（Ｓ）を示す。ＦＢは前針床を、ＢＢは後針床を示す。大文字のＡ〜ＦはＦＢの編針を、小文字のａ〜ｆはＢＢの編針を示す。また黒丸印はその編成ステップで形成される編目を、白丸印は編針に係止された編目を、黒丸と連続した楕円は割増やし編成を示し、黒丸が新たに形成する編目（ニット編目）で、楕円は目移しをされた旧編目（移し目）を示す。
【実施例】
【００１５】
図２は、本発明の実施例である１ｘ１リブ風編地１を右側に、１ｘ１リブ編地１０を左側に示す画像である。両編地は同じ編糸を用い、ウエール、コース両方向とも同数の編目数で編成を行っている。画像が示すように本実施例である１ｘ１リブ風編地１は、１ｘ１リブ編地１０に比較して厚みを有してしっかりとしている。更にリブ風で伸びが抑えられた適度な伸縮性があり、裏目を編成していないにも係わらずリブ編地としての外観を備える。
【００１６】
図１は、本発明の実施例であるリブ風編地１の編成工程図である。本実施例では、ＦＢで第一編地部２を、ＢＢで第二編地部３を形成する。第一編地部２は、第一編地部２の表側から見て、リブパターンの裏目となる裏目ウエール８を割増やし編成で、表目となる表目ウエール９をニット編成でコース方向に行う。第二編地部３は、第二編地部３の表側から見て、リブパターンの裏目となる裏目ウエール８を割増やし編成で、表目となる表目ウエール９をニット編成でコース方向に行う。２つの編地部を編成する編糸は同一であるが、異なる編糸を使用することも簡単に行える。
【００１７】
Ｓ１は、第一編地部２の編目がＦＢの編針Ａ〜Ｆに、第二編地部３の編目がＢＢの編針ａ〜ｆに係止している状態を示す。公知の編出し編成を行った後の状態である。本実施例では、編出し編成に続けてリブ風編地１を形成するが、セーターなどの身頃の編成途中にリブ風編地１を形成しても良い。
【００１８】
Ｓ２では、ＢＢの編針ａ〜ｆに係止する編目に続けて新たな編目を編成するが、編針ｂ，ｄ，ｆでは割増やし編成を行う。つまり、リブパターンの裏目風にしたい編目に割増やし編成を行う。編針ｂ，ｄ，ｆに係止していた移し目７をＦＢの編針Ｂ，Ｄ，Ｆに目移しして重ね目を形成しつつ、編針ｂ，ｄ，ｆに新たなニット目５の形成を行う。また、表目にしたい編目にニット編成を行う為に、編針ａ，ｃ，ｅでは係止する編目に続けて新たな編目を編成する。Ｓ２では、他方の針床ＢＢを用いて同一コースで行なう編成として、ニット編成と割増やし編成をコース方向において各１目を繰り返す１ｘ１リブパターンとして第二編地部３を編成する。
【００１９】
Ｓ３では、ＦＢの編針Ａ〜Ｆに係止する編目に続けて新たな編目を編成するが、編針Ａ，Ｃ，Ｅでは割増やし編成を行う。つまり編針Ａ，Ｃ，Ｅに係止していた移し目６をＢＢの編針ａ，ｃ，ｅに目移しして重ね目を形成しつつ編針Ａ，Ｃ，Ｅに新たなニット目４の形成を行う。また、編針Ｂ，Ｄ，Ｆでは係止する編目に続けて新たな編目を形成する。Ｓ３では、一方の針床ＦＢを用いて同一コースで行なう編成として、割増やし編成とニット編成をコース方向において各１目を繰り返す１ｘ１リブパターンとして第一編地部２を編成する。編針Ｂ，Ｄ，Ｆには、Ｓ２で割増やし編成を行った際に目移しされた移し目７とＳ１で編針に係止していた編目による重ね目が係止されていたが、新たな編目を編成することで重ね目が解消されて２つの編地部が接合される。
【００２０】
Ｓ４では、Ｓ２と同じ編成を行う。またＳ５でも、Ｓ３と同じ編成を行う。Ｓ２とＳ４、Ｓ３とＳ５共に割増やし編成を行う編針の位置が同じであり、前コースで割増やし編成を行う際に形成された重ね目と重ならない位置の編目に対して割増やし編成を行っている。本実施例では、１目置きに割増やし編成を行っており、裏目風にしたい編目を１目、その隣りに表目を１目配置するリブパターンをコース方向に繰り返している。Ｓ５の後には、所望の編地が得られるまでＳ２とＳ３を交互に繰り返せばよい。少なくともコース方向における割増やし編成とニット編成の組合せによるリブパターンが、ウエール方向に連続することでリブ風編地１が形成できる。
【００２１】
本実施例では、第一編地部２の表側から見て、ＦＢの編針Ｂ，Ｄ，Ｆに係止する編目が表目で、ＦＢの編針Ａ，Ｃ，Ｅに係止する編目が裏目風に見えるが、共にＦＢで編成した編目であり、表目である。特に裏目に見える裏目ウエール８の編目は、割増やし編成を行うことでＢＢに目移しされる際に編目が詰んだ状態となる。隣り合う編目間に形成された渡り糸で前後を繋ぐことになり、前後交互に編成する従来のリブ組織の渡り糸に対して短くなるからである。よって、割増やし編成を行ったニット目と移し目はＢＢ側に引き寄せられて、割増やし編成をしない編目に対して窪んだ状態となる。更に加えて、ＢＢ側の編地部が同様の編成で、ＦＢ側の編地部に対し右方向に１目ずれる事で互い違いとなり、効果が倍増して大きな凹凸となってリブ編地１０により近づく。つまり、図１のＦＢの編針を示したＡ〜Ｆの編目が交互に対向する方向に引っ張られることで、１ｘ１リブと同じ様な外観の１ｘ１リブ風編地となる。また、割増やし編成を交互に行うことで強固に接合され、２つの編地部は一体化される。
【００２２】
なお、本実施例では、所定数の表目と所定数の裏目をそれぞれ１目とし、表目と裏目をコース方向において交互に繰り返すリブパターンを１：１としており、１ｘ１リブ編地１０となる外観を模擬したリブ風編地となるが、リブパターンを２：２や２：１、或いは３：３などのリブパターンにすれば、それぞれの編地が、２ｘ２リブ風、２ｘ１リブ風、３ｘ３リブ風編地１０となる。従来の表目と裏目によるリブ組織と同様に、表目と裏目風の目数が増えると、伸縮性などのリブ組織のメリットが少なくなる為、連続する同じ編目は３目程度までとするのが好ましい。
【００２３】
また、リブ風編地１の厚みや伸縮度は簡単に調整できる。例えば、コース方向の伸びを抑えて適度な凹凸を出すには、目移しを行う編目のみループ長を短くすれば良い。また、図２の写真右側のように、リブ風編地１の編地幅を、連続する天竺編地(表目)と同じ編地幅で保ちたい場合には、天竺編地の編目に対しループ長を少し長めに設定すればよい。従来の１ｘ１リブ編地１０では、写真左側のように編地が縮んでしまうが、リブ風編地１は、裏目を使用せず表目のみで編成している為、縮みを抑えた編地を編成することが可能となる。
【符号の説明】
【００２４】
１        リブ風編地
２        第一編地部
３        第二編地部
４、５     
ニット目
６、７    移し目
１０      リブ編地
【図１】
2014227611.tif 000003
【図２】
2014227611.tif 000004